(57)【要約】      （修正有）【課題】加熱された空気が原因の自然対流は、好ましく無い現象であるが、抑制にはかなりの面倒を生ずる為、共存を図ることができる熱気浴装置を提供する。【解決手段】循環加熱機構の動力源の電動機は是迄回転軸の一方に主回転送風扇車を枢支し、その反対側に小型の自冷ファンを装着し、電動機の回転で送風扇車が目的外の室外空気を吸引し自らの機体に送流しその内部発熱の為高温化した電動機体を冷却して居る事例を拡大延長して、固有の循環加熱機構の副任務で在った冷却用室外空気吸入量を大幅に拡大、併せて濾過清浄化を加え、電動機体の冷却の他に熱気浴中の利用者の頭部周辺空間に導入し、同空間を低温清浄富裕酸素空気所在空間として、利用者体幹部所在の漸増型高温空気循環空間と分離したファジイな空域を創り大切な利用者頭部の過熱防衛と同体内の代謝昂進に必要不可欠な酸素の提供を図り有酸素代謝健康法の完璧化を図る。【選択図】  図１１
2005000616.tif 000002
【特許請求の範囲】
【請求項１】
所謂熱気浴又は理学療法的空気温浴を提供の熱気浴用室内の空気の温度分布を、該腰掛台利用の通常的人体の頭部位置に該当する概略の空間域内の分布と其他の体幹部に接触与熱する空気の存在空間内の分布とにほぼ区分して、前者の空気温度は人体頭部の安全圏内に保ちつつ後者の空気温度を熱気浴に適する如く通常体温より高めの温度迄漸増し得る如くに両者別の管理に収め、且両者とも無塵無菌を目標とする空気浄化循環の持続に適応させ、併せて利用者の体温調整目的に発現の発汗蒸発の吸収を果す高温低湿環境維持を支持の他特に前者には利用者体の生理的代謝昂進に伴い消費増加の呼吸酸素を安定供給の確保支持の副機能を具備の電動式空気加熱管理機構を内蔵した設置又は移設利用可能型背もたれ部材及び新鮮外気供給のフレッシュエアライン等を組込み式の熱気浴利用者用腰掛台
【請求項２】
所謂熱気浴又は理学療法的温浴等を提供する熱気浴用室内の空気温度及び浄化管理を行う循環式空気浄化加熱機構内蔵の腰掛台に於て、温浴及び療養効果を拡充する目的にて、所謂「ツボ」等など体表面局部に磁気や通電刺激、圧力又は振動効果等を与え或は音波や熱線等電磁波照射併用を可能とする如き必要器材を併設若しくは仮設又は繋止可能のごとく構成された電動式の空気循環熱管理機構を内蔵した設置又は移設使用を目的とする背もたれ付き腰掛台
【発明の詳細な説明】
【０００１】
乾燥高温空気を充満した空間体内に人が適当時間留まり、室内空気の熱を体内に伝え全身細胞の生命活動を活性化させ体内諸組織器官等のリカバーリング及びターンオーバーを進め人体の自己治癒力を向上し良好な健康状態を保つ生活行動を熱気浴又は理学療法的空気温浴等と名付け、近時普及が進んで居ります。
通常この種の装置機構は、一定の空間を限定構成する空間体部と、その内部に熱ネルギーを供給する熱源装置、及びその電気制御の制御機構などより成り立つて居り、内部空気が熱源より部分加熱を受ける構成である為加熱を受けた空気が部分的加熱膨張して軽量化に由来する所謂空気の自然対流現象発現は不可避とされ黙認放置された結果利用空間内頭部位置に高温空気が集中、人体加熱に有効な中位等空間には非高温空気が集中する非科学的現象が其儘放任が続けられて来た。
人体が吸入空気より酸素を摂取し二酸化炭素を排出するガス交換を掌る役務は直径０．１〜０．２ｍｍ程の約６億個と云われる肺胞で僅か０．４ミクロン程の繊細な膜を介して行われる性質上、空気温度が高い事は最大の悪条件であります。
所謂「高齢化時代」進展と共に、高齢者健康維持に「温浴の安全手軽な活用」効果が唱導される反面、「滑り」「溺れ」等の
【バリア】対策も社会的問題化されて来て居るが、結局その「主犯」とも謂える『水を伝熱媒体とする温浴手法』そのものを見直す以外適当な解決の方策無しとの「結論」に達して来て居る。
即ち「伝熱媒体」として古来「水」と並んで人類に利用されて来て居る「空気」活用温浴が『水利用に代わる安全手法』と見直されつつ在ると同時に、世界的の大問題である「地球温暖化防止」においても温浴１人１回当りの環境破壊ガス体排出量を『空気温浴』は「水」を加熱利用後廃棄する『温湯浴』の約７０分の１程度（全国家庭平均推定）に抑制可能の特性を斟酌評価されれば『空気温浴』の積極的活用は、世界的の問題として改めて評価されるべきでありましょう。
本出願はその課題解決に適当する「実現容易なる新しい技術思想」であります。
【産業上の利用分野】
【０００２】
本発明の対象は、所謂「健康産業」から新しくは「高齢者産業」、また一般の家庭等対象の「健康維持生活財産業」として普及が予測されます。
【従来の技術】
【０００３】
是迄「熱気浴用装置」として利用された技術方式を現代史的順に検討すると２
０世紀以降電気をエネルギーとする方式が定着、先ず
【図１】
【図２】両図に横断面、平面を示す「電熱ストーブ利用自然対流加熱方式」が実用されました。
即ち加熱された空気が膨張し図示実線矢印の如く自然対流を生起し天井下迄直線的に上昇する。その上室体天井を貫流し室外に熱の相当量を矢印の如く放熱冷却し比重を回復し点線矢印の様に利用者身体頭部辺りより体幹部沿いに沈下し最も低温に成って足許辺に落ち着く。  此の様な加熱の連続により室内底部の空気層より温度が上昇し利用者体幹部周辺が有効温度に達する迄には時間ばかりで無く天井より貫流放出の「エネルギーロス」も極めて大で、而も利用者の頭部は常に高温の空気にて囲まれ而も頭髪の妨げで発汗蒸発の温度調整が鈍り脳神経が過熱の危険に置かれる反面足部は低温で不足、またストーブに面する半身皮膚は熱線直射を蒙り局部過熱等と頗る原始的与熱技術が永らく実用されて来て居りました。
此の方式の難点は、「自然対流」放任による多大な「エネルギーロス」ばかりで無く利用者に与える「与熱分布」が体調安全域を逸脱する幼稚技術に属する事＝＝＝特に、体重の約２％僅か１．４ｋｇの脳組織が人体全身が消費の酸素や栄養素等の約２割もの多量を消費し代謝活動を続ける「激務稼働」の実態を認識すれば、代謝に伴う産生熱も多大は明白、その熱放散支持に周囲温度の低温維持が絶体優先であるに拘らず＝＝その頭部、肩等を高温空気で包む如きは、暴挙至極に属する。  其上これ迄看過されて居た事実に室内という限定空間内の空気を反復して加熱利用の為利用者の呼吸や発汗其の他の排泄物が累積し汚染が深まる現実ばかりで無く、最重要現実に「目的とする利用者体内にての代謝昂進の機序」の原動力要素の「大切な人体吸気中の酸素」が室内の限られた空間内では逐次消耗され「酸欠」に近付く儘に放置されて居るという非科学的現実が露呈され、著しく『健康法』の名に背く実態が明らかにされて居ります。
「肺活量」と「限定的室内空気量」とより判断し、一目瞭然の事実であります。
他方、狭い空間内にて露出された高温ストーブとの接触事故も不可避で、その法的判断が近年「ＰＬ法」により欠陥技術と認定され賠償責任が明白にされるに及び、２１世紀以降は製作供給が自動的に停止されて来て居る。
また此の間一時的に前記のストーブ加熱の代用の「遠赤外線ストーブ」加熱のものも市販されたが、未完成技術が明白で当局の指導により中断に至って居る。
【発明が解決しようとする課題】
【０００４】
以上の改良型として
【図３】
【図４】のごとき「空気循環式加熱技術」が開発され、「エネルギーロス」や「室内温度分布」は著しく改善されましたが
更に  「２１世紀」生活用具として＝＝＝「より高級機能の追求」として
ａ、「熱気浴室」という限定空間内では見逃されて居る「頭部過熱」の解消
ｂ、同じく限定空間内で漸増の利用者の代謝昂進に必要な「酸素」の十分な供給
ｃ、利用者希望の東洋医学的療法をも併用による「総合的温浴健康効果」向上等々の残された問題解決及び高度化の技術等に関する新規な技術思想に相当する。
腰掛台利用の「空気温浴」の利用者人体を包囲して与熱等に関与の空気の存在及び流動を許容出来る空間を是迄室内全部一体として扱ったのを改め、空間存在を必要とする役務を「熱エネルギー伝導の媒体」と「人体の生存に必要な酸素等供給源」との目的に大別し夫々に必要最適の状態と位置とが確保される如く構造改革を行い
（ａ）「与熱及びその結果生ずる発汗蒸発及び昂進の体表分泌吸収に必要な空気役務」
（ｂ）「吸気酸素の豊富な存在と頭部温度上昇の緩和の安全優先の空気」
との主要役務別の空気存在に概要的に適するごとくに改め
（ａ）エリア、体幹部に安全有効な与熱に寄与する空気存在の空間域
要点は体幹部加熱に適する温度と清浄度（要高温域）及び乾燥度
（ｂ）エリア、利用者の呼吸に適する新鮮空気所在を確保し、且人体頭部の過熱化を回避の為高温空気の混入を制限の空間域
即ち、要点は非高温の安全温度と清浄度及び含有酸素（要低温域）
等夫々の概要的機能を支持の可能性の大小により両空気域に分割を目的に想定し
（ａ）エリア空気は「利用者体各部に有効な温度」に安全に漸増循環加熱を第一とし併せて「体温調整の発汗と蒸発」に有効な湿度調整を兼ねた清浄化も行い
（ｂ）エリア空気は体温に比しあまり差の生じぬ範囲の温度上昇に制約、而も温浴は有酸素運動という本質を再認識し、呼吸に適する空気の清浄性と新鮮空気並の含有酸素量維持とを併行して重視する。
等の従来慣行にては想定の範囲を超えた高度の品質向上を目指す発明に属し、且是等の条件は熱気浴利用者の個人により相違し、対応の調整が必要である事である。
【課題を解決する為の手段】と
【実施例】
【０００５】
１、利用者がその身体に温熱効果を受ける時使用の「温浴用腰掛台」を一体単位として活用、その構成部の「腰掛台」「加熱装置」及び「背もたれ」とその上の「頭部クーラー」迄を一体構成とし、「腰掛台」内より上昇誘導の空気用「フレッシュエアライン」を設ける。  同ラインは「腰掛台」内部に構成の加熱循環装置用電動機構の過熱防止を目的の台外の低温新鮮空気を常時吸入し且空気清浄化による高品質化の上、適当な速度にて同電動機構との熱交換により微温化された後「エアライン」を経て「腰掛台」より上昇し「背もたれ」上に特設の「頭部クーラー」に至る迄適量の微温新鮮空気の連続送入を行う。
仮想的空気域の（ｂ）エリアは此の新鮮微温空気供給が続けられる結果着座姿勢の利用者頭部周辺は此の未加熱空気と（ａ）エリアより流入の加熱空気との混合空気にて充たされる為、従来より格段優良な温度及び酸素濃度の空気の利用が期待出来る。  同微温新鮮空気送入量は電動機軸特設の外気吸入扇車の直径や速度の調節により増減可能も容易な為、エリア（ｂ）内の空気の質も調整可能である。
２、「腰掛台」内「空気循環加熱機構」の室内空気還流口にも「空気濾過清浄部」を特設、従来の循環再加熱空気を「濾過清浄再熱空気」と高品質化を図る。場合により「イオン等活用の清浄化」等の浄化性強化の機能をも付与する。
３、上記１の加熱装置用電動機構冷却の目的にて吸入された未加熱の新鮮外気は「濾過清浄」の上、一次的に「空気循環加熱機構」の電動機体の冷却に活用、二次的に此の微温化空気を「背もたれ」部材内貫通「フレッシュエアライン」を経由し「頭部クーラー」より利用者頭部周辺に送り
【図５】
【図６】の白線矢印の様に利用者の頭、肩等を包む点線表示空域の（ｂ）エリヤに送出し、付設の風向きガイド板をも活用し、其の他の体幹部に与熱目的の空気存在を前提の空間（ａ）エリヤとは相互交流の寡ない空気存在を前提とする空間を構成ファジイな「低温清浄空気域」（ｂ）エリアを創り、この中に利用者体頭部等を存在させ過熱防止の安全策と消費酸素の補給の完璧を期す如く構成する。
吸入外気に相当する量の室内空気は過剰空気となり「１５」より排出される。
４、即ち、『人体加熱用の室内高温空気の循環浄化再加熱の高温空気流動域』と『加熱用熱源電動機の冷却保守目的に流入する室外低温新鮮空気  をはじめに電動機体と熱交換を行って第１の目的を達する事、第２に温浴利用者頭部保護及び生理消費酸素供給との両主目的に活用する低温空気流動域』との２種の空気流の併行両立する機構を１組の腰掛台内に構築設定が「新規な技術思想」に属する。
是等両種の循環空気の「濾過清浄」機構例を
【図７】に示す。
記載は省略するが、この機構に「イオン殺菌」等を関与させると効果高い。
５、尚、近年利用の進んで居る、磁気治療、ツボ療法等の理学療法的施療を熱気
浴中に併行実施するは相乗効果多大とされ、それに適する用具事例を
【図１０】にまたそれ等を着装しての温浴事例を
【図９】に夫々例示、また是に加えて赤外線発生及び照射機構及び熱エネルギーの熱線転化機構等による四肢等局所熱線照射加熱も加え最善装備とした理学療法的温浴の一例を
【図１１】に示す。
６、以上の諸機能複合した「複合腰掛台」を、「熱気浴室」に利用する空間内の有効利用部に適合する様に必要数載置し、電気及び空気系統と制御機構を構設し消防等の安全施設を伴えば「最新機能の熱気浴室」が利用者主体の構成に出来上がる。
【実  施  例】
【０００６】
以上の実施例の内の
【請求項１】に関する分の説明を
【図７】にて行う。
腰掛台
【２】、背もたれ
【４】等にて構成の「空気温浴専用の腰掛台」の下方空間
【３】に電気利用循環式空気加熱機構
【５】を設け、その送風回転体駆動の電動機
【８】を冷却の目的にて室外より未加熱の低温空気を吸入口
【１４】より取入れ利用の在来技術システムを拡大強化し、吸入空気量の極大型化と濾過清浄機能追加を目的として送風扇を
【９】の如く超大型化して第一の目的の電動機体との熱交換を行い、其の結果微加熱された空気は「フレッシュエアライン」
【１３】に送られ背もたれ上部に設置の頭部クーラー
【１２】を経由し、特設の風向きガイド板
【５ａ】の上方空間内に白抜き矢印の如く送出され予定する前記「エリアｂ］内を「未加熱低温の一般空気近似の新鮮空気域」に近く構成する。尚「エリアｂ」内の新鮮空気割合は同「ライン」経由送出量による為特に必要の際は
【図９】に例示の様な補助的に電動吸入機構
【１０】を付設する事もある。
利用者頭部はこの配置にて過熱の悪条件防衛と代謝に充分な酸素を確保出来る。また「エリアａ」内の空気は、主作動の空気循環式加熱機構により太線矢印の如く腰掛台内の循環加熱機構
【５】に吸引される直前に特設の濾過清浄化機構
【６】にて室内循環中負荷された湿度、汚染等の除湿濾過清浄化を受けた上で送風回転体
【７】にて２つに分けて送流され、電熱加熱部
【５】
【５】を通過接触時加熱を受け図示の上下の熱気口
【２ａ】
【２ｂ】より腰掛台上の人体の腰部及び足部に送出され、利用者体の下半身を経て体幹部皮膚面を流れて与熱を行い皮膚面より体内細胞に熱による活性化を深めて行き、同時に代謝昂進に伴う体温調整目的にての発汗の蒸発を全うさせて体調の良化をすすめる。
此の様に、利用者は自己の頭部はあまり温度上昇の無い「エリアｂ」内に置いて過熱の危険等無しに且十分な酸素供給を受け、他方「エリアａ」内に置く体幹部への安全な漸増式の受熱にて体内細胞の十分な代謝増進を進め目標とする温浴のリフレッシュ効果を得る。是を一連の循環加熱機構にて充たす点に特徴を有する。
【０００７】
実施例の内の
【請求項２】に関する分の説明を
【図９】、
【図１１】にて行う。先ず熱気浴利用者の希望により、「ツボ」等施療の体表局部に
【図１０】「イ」例示の「永久磁石」器具
【１６】をバネ式ホルダー
【１９】にて腰掛台背もたれ上部に係止してその磁力効果を利用する、一方同図「ロ」の「電磁石」
【１７】を換装用背もたれ部材
【４ａ】に固定し通電の断続操作により利用する。
また同図［ハ］の「永久磁石」
【１６】を埋設した「磁石埋設板」
【１８】を腰掛台上面座板上に載置し大腿部等に磁力線を及ぼし、同時に同じく［ニ］の「電磁応用振動子機器」
【２１】を両足のスノコ上に載置し足裏要部に振動の連続刺激を与える等温浴によるリフレッシュとの相乗効果を愉しむ効果大。
また所謂赤外線等の熱線発生機構
【２２】を腰掛台正面に取り付けて下肢部への局部的加熱には特効ありとされ、又循環加熱にて流出する空気熱を受けそのエネルギーを赤外線に換え局部照射により理学的治療を局所に供与する機構
【２４】など利用者体の適性や嗜好をも加味し、温浴による細胞活性化と上述機器の機能による体内細胞活性化との相乗効果を期待する利用法も利用者に喜ばれよう。
【図面の簡単な説明】
【図１】電熱ストーブを熱源とした過去の熱気浴室（断面図と加熱空気流動）
【図２】同  上  （内部平面図、熱線照射）
【図３】従来の空気循環加熱式熱気浴室（断面図と加熱空気流動循環）
【図４】同  上  （内部平面図、空気流動）
【図５】本発明の冷熱両温度空気複合供給システム熱気浴室（断面と空気流動）
【図６】同  上  （内部平面図、両温度空気流動）
【図７】同上に使用の熱源腰掛台（内部断面と利用人体周囲の両温度空気の流動）
【図８】同上に使用の空気循環加熱機構の分解概要図
【図９】
【図７】図示の腰掛台に
【図１０】に例示の理学療法的機器を利用者体用に装着し温浴との療養相乗効果を受療する状態を示す断面図（頭部周辺への低温空気送入量拡大の為、外気吸入扇機構を拡大の事例）
【図１０】温浴中に併用を目的の理学療法用具類
【図１１】上記の理学療法の他「癌防衛」を目的の下肢等への赤外線照射を加えた「相乗効果浴」目的の本発明の『総合的理学療法相乗効果目的熱気浴用腰掛台装置』概要図（参考にその空間の温度を計器表示にて表示）
【符号の説明】
１、    熱気浴室
１−ａ  体幹部加熱用高温寡湿空気域「エリアａ」
１−ｂ  頭部保冷用緩温有酸素空気域「エリアｂ」
２      腰掛台構造体基部                ２ｄ  同  背面構造体
２ａ、  腰掛台前面下部熱気流出開口部、  ２ｂ  同  上面熱気流出開口部
２ｃ    腰掛台正面開口部                ２ｄ  同  室内空気還流開口部
３、    腰掛台下方空間                  ４    背もたれ部材
４ａ    磁石付背もたれ部材
５、    電気利用循環式空気加熱機構      ５ａ  折畳式風向ガイド板
６、    同上吸気口側浄化除湿用濾過器
６ａ、  空気加熱機構部      ７、７ａ  同上用送風回転体及び断熱性回転軸
８、    送風回転体駆動電動機
９、    回転軸上の特設大型送風扇
１０    補助に特設の送風扇及び電動機
１１、  腰掛台背面構造体        １１ａ、  電動機、濾過器等の収納ケース
１２、  頭部クーラー            １２ａ、  クーラー用空気口
１３、  頭部クーラーへの未加熱通気管（「フレッシュエア、ライン」）
１４、  熱気浴室外空気吸入口          １４ａ  同空気用濾過除湿清浄器
１５、  オーバーフロー空気排出口
１６、  永久磁石                １７、  電磁石
１８、  磁気ボードＡ            １９、  磁気ボードＢ
２０、  通信装置機構
２１、  電磁応用振動子機器      ２１ａ、  振動子
２２、  電気式熱線発生機構
２３、  不活性化剤等噴出式空気浄化機構
２４、  熱転換型赤外線発生機構
Ｓ      電熱ストーブ
【図１】
2005000616.tif 000003
【図２】
2005000616.tif 000004
【図３】
2005000616.tif 000005
【図４】
2005000616.tif 000006
【図５】
2005000616.tif 000007
【図６】
2005000616.tif 000008
【図７】
2005000616.tif 000009
【図８】
2005000616.tif 000010
【図９】
2005000616.tif 000011
【図１０】
2005000616.tif 000012
【図１１】
2005000616.tif 000013